(57)【要約】【課題】  小型又は薄型のスピーカーシステムで、特に、低音再生能力に優れ、ゲーム機、パチンコ、スロットマシン等の遊戯機に取り付けるのに適するスピーカーシステムと、これを備える遊戯機を提供する。【解決手段】  スピーカーシステムのキャビネットが、振動板の前面側へ放射される音波を直接自由空間へ放射する場合に比べて高い空気の圧縮および膨張を生じさせて、自由空間へと導出する前面音導部と、振動板の背面側へ放射される音波を位相反転させて自由空間へと導出する背面音導部と、を有し、前面音導部は、振動板を支持するフレーム周縁部に対応して規定された音源空間と、振動板の前面側から放射される音波を自由空間に導出する音道と、を有し、背面音導部は、キャビネットを形成する筐体により規定される背面側キャビティと、背面側キャビティに連通して振動板の背面側から放射される音波を自由空間に導出するダクトと、を有する。【選択図】  図１
2008178050.tif 000002
【特許請求の範囲】
【請求項１】
振動板を備えるスピーカーと、該スピーカーが取り付けられるキャビネットと、を備えるスピーカーシステムであって、
該キャビネットが、該スピーカーの該振動板の前面側へ放射される音波を直接自由空間へ放射する場合に比べて高い空気の圧縮および膨張を生じさせて、自由空間へと導出する前面音導部と、該スピーカーの該振動板の背面側へ放射される音波を位相反転させて自由空間へと導出する背面音導部と、を有し、
該前面音導部は、該スピーカーの該振動板を支持するフレーム周縁部に対応して規定された音源空間と、該振動板の前面側から放射される音波を自由空間に導出する音道と、を有し、該背面音導部は、該キャビネットを形成する筐体により規定される背面側キャビティと、該背面側キャビティに連通して該振動板の背面側から放射される音波を自由空間に導出するダクトと、を有する、
スピーカーシステム。
【請求項２】
前記前面音導部の前記音道の放射孔と、前記背面音導部の前記ダクトのダクト孔と、が、前記キャビネットが有する前面バフルに形成されている、
請求項１に記載のスピーカーシステム。
【請求項３】
前記キャビネットの前記前面バフルが横長の略矩形形状であり、前記フレーム周縁部の直径が該前面バフルの全高よりも大きい前記スピーカーが、垂直方向に前記振動板が振動するように該キャビネットに取り付けられている、
請求項２に記載のスピーカーシステム。
【請求項４】
前記キャビネットの前記前面バフルに形成されている前記放射孔ならびに前記ダクト孔が、該前面バフルの中央垂線に対してそれぞれ左右に振り分けて配置されている、
請求項２または３に記載のスピーカーシステム。
【請求項５】
遊戯機の前面側に取り付ける請求項２から４のいずれかに記載のスピーカーシステムであって、
前記キャビネットが、前記放射孔ならびに前記ダクト孔を該遊戯機の前面側に露出させて取り付ける取付部を有する、
遊戯機用スピーカーシステム。
【請求項６】
請求項５に記載の遊戯機用スピーカーシステムを備える遊戯機。
【発明の詳細な説明】
【技術分野】
【０００１】
本発明は、小型・薄型のスピーカーシステムで、特に、低音再生能力に優れ、パチンコ、スロットマシン等の遊戯機に取り付けるのに適するスピーカーシステムと、これを備える遊戯機と、に関する。
【背景技術】
【０００２】
音声を再生するスピーカーを取り付けるディスプレイ等の音響機器や、ゲーム機、パチンコやスロットマシン等の遊戯機においては、スピーカーを取り付けるのに要する空間を小型化することが要望されている。スピーカーは、特に、小型又は薄型の動電型スピーカーは、振動板面積が限られる、厚みが必要な大型磁気回路を備える全高が高いスピーカーを採用できない、キャビネットの体積が規定する音響容量が不足する、といった様々な理由から低音再生能力において不利であるので、これを解決するために様々なスピーカー、および、これを用いたスピーカーシステムが提案されている。
【０００３】
例えば、奥行き寸法が大きいディスプレイに用いるスピーカーシステムであって、スピーカーと音響管とからなるものでは、一方向に開口部を有する音道管の奥部に円錐形振動板の凸面を前面に突出して装着したスピーカーを、円錐形振動板の凸面を音道管の内方向に挿入して取り付けて、音道管の軸とスピーカーの軸を直角に配置し、再生する音声の周波数特性を改善するスピーカーシステムがある。（特許文献１）。
【０００４】
また、スピーカーを取り付けたスロットマシンにおいては、第１のスピーカーが扉部の前面から効果音を放出するように扉部の内面に取り付けられ、第２のスピーカーがリールブロックの側方であって筐状本体の一方の側壁部の内面に取り付けられる音響ボックスの内部に設けられており、音響ボックスに第２のスピーカーが取り付けられかつ第２のスピーカーの前面音を放出するための取付孔と、第２のスピーカーの背面音を外部へ放出するための放出口とを備え、取付孔を対向する他方の側壁部に向け、かつ放出口を筐状本体の背壁部または側壁部に開設された開口部と連通させるようにして側壁部の内面に取り付けられて成るものがある（特許文献２）。
【０００５】
さらに、低音を再生するスピーカーシステムにおいて、スピーカーと、スピーカーを同一形状の密閉箱に取り付けて直接自由空間へ放射する場合に比べて高い空気の圧縮および膨張を生じさせ、スピーカーから放射される音波を自由空間へと導出する音導部と、を備えるスピーカーシステムがある（特許文献３）。音導部は、スピーカーの周縁部に対応して規定された音源空間と、スピーカーから放射される音波を自由空間に導出する音道とを有し、音道が、中間部の幅が音源空間と音道との接続部の幅および音道の出口部の幅よりも狭く、かつ、音道の音波導出方向の軸に対して非対称であるような平面形状を有し、それによって、スピーカーシステムのｆ０が、スピーカーを同一形状の密閉箱に取り付けて直接自由空間へと放射する場合のｆ０と比較して２０％以上低くなり、キャビネットの体積が小さくても十分な低音を再生する。
【０００６】
【特許文献１】特許第３２１１６７８号公報
【特許文献２】特許第３７７７０５８号公報
【特許文献３】特許第３６５６５５１号公報
【０００７】
ディスプレイ等の音響機器、および、ゲーム機やスロットマシン等の遊戯機においても、良好な音声再生のためには、上記特許文献３に匹敵する良好な低域再生特性を有するスピーカーシステムをその内部に取り付けられるようにすることが好ましい。しかしながら、これらの機器では、機器筐体内部側空間に配置される他の部品との関係から、スピーカーを取り付けるのに要する空間を小型化することが強く要望されており、上記特許文献３に記載のスピーカーシステムをその内部に取り付けることは困難な場合がある。
【発明の開示】
【発明が解決しようとする課題】
【０００８】
本発明は、上記の従来技術が有する問題を解決するためになされたものであり、その目的は、小型又は薄型のスピーカーシステムで、特に、低音再生能力に優れ、ゲーム機、パチンコ、スロットマシン等の遊戯機に取り付けるのに適するスピーカーシステムと、これを備える遊戯機を提供することにある。
【課題を解決するための手段】
【０００９】
本発明のスピーカーシステムは、振動板を備えるスピーカーと、スピーカーが取り付けられるキャビネットと、を備えるスピーカーシステムであって、キャビネットが、スピーカーの振動板の前面側へ放射される音波を直接自由空間へ放射する場合に比べて高い空気の圧縮および膨張を生じさせて、自由空間へと導出する前面音導部と、スピーカーの振動板の背面側へ放射される音波を位相反転させて自由空間へと導出する背面音導部と、を有し、前面音導部は、スピーカーの振動板を支持するフレーム周縁部に対応して規定された音源空間と、振動板の前面側から放射される音波を自由空間に導出する音道と、を有し、背面音導部は、キャビネットを形成する筐体により規定される背面側キャビティと、背面側キャビティに連通して振動板の背面側から放射される音波を自由空間に導出するダクトと、を有する。
【００１０】
好ましくは、本発明のスピーカーシステムは、前面音導部の音道の放射孔と、背面音導部のダクトのダクト孔と、が、キャビネットが有する前面バフルに形成されている。
【００１１】
また、好ましくは、本発明のスピーカーシステムは、キャビネットの前面バフルが横長の略矩形形状であり、フレーム周縁部の直径が前面バフルの全高よりも大きいスピーカーが、垂直方向に振動板が振動するようにキャビネットに取り付けられている。
【００１２】
また、本発明のスピーカーシステムは、キャビネットの前面バフルに形成されている放射孔ならびにダクト孔が、前面バフルの中央垂線に対してそれぞれ左右に振り分けて配置されている。
【００１３】
また、本発明の遊戯機用スピーカーシステムは、遊戯機の前面側に取り付けるスピーカーシステムであって、キャビネットが、放射孔ならびにダクト孔を遊戯機の前面側に露出させて取り付ける取付部を有する。
【００１４】
また、本発明の遊戯機は、上記の遊戯機用スピーカーシステムを備える。
【００１５】
以下、本発明の作用について説明する。
【００１６】
本発明のスピーカーシステムは、振動板を備えるスピーカーと、スピーカーが取り付けられるキャビネットと、を備える。キャビネットが有する前面バフルには、後述する放射孔およびダクト孔が形成されている。スピーカーシステムが、遊戯機の前面側に取り付ける遊戯機用スピーカーシステムである場合には、そのキャビネットは、放射孔ならびにダクト孔を遊戯機の前面側に露出させて取り付ける取付部を有する。また、本発明の遊戯機は、この遊戯機用スピーカーシステムを備え、遊戯機用スピーカーシステムは、遊戯機の前面側に位置する遊戯者に正対するように取り付けられる。
【００１７】
本発明のスピーカーシステムのキャビネットには、振動板を備えるスピーカーが取り付けられ、振動板の前面側と背面側に、それぞれ前面音導部および背面音導部を有する。キャビネットの前面音導部は、スピーカーの振動板の前面側へ放射される音波を直接自由空間へ放射する場合に比べて高い空気の圧縮および膨張を生じさせて、自由空間へと導出する。一方、キャビネットの背面音導部は、スピーカーの振動板の背面側へ放射される音波を位相反転させて自由空間へと導出する。なお、スピーカーの振動板の前面側とは、動電型のスピーカーのボイスコイルならびに磁気回路が配置される側を背面側とした場合に、この背面側に対して振動板の表面が露出する側をいう。
【００１８】
前面音導部は、スピーカーの振動板を支持するフレーム周縁部に対応して規定された音源空間と、振動板の前面側から放射される音波を自由空間に導出する音道とを有し、上記特許文献３のスピーカーシステムが有する音導部と同様に作用する。つまり、前面音導部は、スピーカーを同一形状の密閉箱に取り付けて直接自由空間へ放射する場合に比べて高い空気の圧縮および膨張を生じさせ、スピーカーから放射される音波を自由空間へと導出する。その結果、スピーカーの低音再生限界を規定する最低共振周波数ｆ０を、実質的に低くすることができる。
【００１９】
なお、本発明における音源空間および音道とは、特許文献３に記載のものとほぼ同義である。音源空間は、スピーカーの振動板のフレーム周縁部に対応して規定される空間であり、音道は、音源空間に連通してスピーカーから放射される音波を自由空間に導出する空間であり、その出口部が放射孔である。
【００２０】
さらに、背面音導部は、キャビネットを形成する筐体により規定される背面側キャビティと、背面側キャビティに連通して振動板の背面側から放射される音波を自由空間に導出するダクトと、を有し、位相反転型（バスレフ型）キャビネットとして作用する。つまり、背面音導部は、スピーカーと、背面側キャビティの音響容量と、ダクトの音響質量とからなる音響共振系をさらに形成する。音響共振系の高次の共振周波数付近からそれ以上ではダクト孔から放射される音波が位相反転して、振動板の前面側から前面音導部の放射孔を経て放射される音波と同位相になる。したがって、本発明のスピーカーシステムは、音圧周波数特性上の低域限界周波数が拡大し、高い合成音圧レベルが確保される。全体として小型化および薄型化されたキャビネットであっても、十分な低音を再生することができる。
【００２１】
好ましくは、本発明のスピーカーシステムは、キャビネットの前面バフルが横長の略矩形形状であり、フレーム周縁部の直径が前面バフルの全高よりも大きいスピーカーが、その振動板が垂直方向に振動するようにキャビネットに取り付けられている。スピーカーを取り付ける位置と大きさが制限されるゲーム機、パチンコ、スロットマシン等の遊戯機の場合においては、従来から遊戯者に正対する遊戯機の前面の上部側もしくは下部側に幕板を取り付けるためのデッドスペースが存在する場合があり、横長の空間（高さ約１００ｍｍ以下）を設けやすいものの、低音再生に優れる振動板面積が大きいスピーカーを幕板に取り付けるのは困難である。したがって、スピーカーの振動板が垂直方向に振動するようにキャビネットに取り付け、かつ、遊戯機の前面側に背の低い横長の略矩形形状のキャビネットを取り付けるようにして、必要な取付部をスピーカーシステムのキャビネットに設ければよい。小型・薄型キャビネットのスピーカーシステムを使用する場合であっても、低音再生能力に優れる遊戯機が実現される。
【００２２】
また、本発明のスピーカーシステムでは、前面バフルに形成されている放射孔ならびにダクト孔が、前面バフルの中央垂線に対してそれぞれ左右に振り分けて配置されている。好ましくは、前面バフルに形成されている放射孔ならびにダクト孔は、正対する聴取者の両耳間距離よりも離隔して、略矩形形状の前面バフルの左右端の近くに配置されている。つまり、聴取者が正対する遊戯機に取り付けた場合に、その前面バフルに形成されている放射孔ならびにダクト孔の間隔は、聴取者の左右の両耳の間隔よりも広く配置される。
【００２３】
したがって、前面音導部の放射孔から放射される音波と背面音導部のダクト孔から放射される音波とが同相になる低域限界周波数付近では、前面バフルに正対する遊戯者には、高い合成音圧レベルが提供される。その一方で、音響共振系の低次の共振周波数以下では、前面音導部の放射孔から放射される音波とダクト孔から放射される音波とは、（同相ではない）逆相もしくは無相関の関係になり、合成音圧レベルが低下するものの、前面バフルに近いところに位置する遊戯者の両耳には逆相もしくは無相関の音波が到来し、遊戯者は広がり感のある音場感が得られる。ステレオ左右信号をそれぞれ再生する左右スピーカーを備えない場合であっても、遊戯者に広がり感のある擬似的なステレオ感を与えることができる。遊戯者の両耳に到来する逆相もしくは無相関の音波は、合成音圧レベルとしても、それぞれの音圧レベルとしても低いので、不快感を与えるほどではない。
【００２４】
本発明のスピーカーシステムは、低音再生能力に優れ、かつ、全体として小型化および薄型化されるので、上記の遊戯機のような機器筐体内部側空間に配置される他の部品との関係から、スピーカーを取り付けるのに要する空間を小型化することが強く要望される機器に取り付けるのに適する。もちろん、ステレオ信号の低音域モノラル成分を再生するスピーカーシステムとして使用し、ステレオ左右信号を再生する左スピーカーおよび右スピーカーと組み合わせてもよい。
【００２５】
また、聴取者がその前面バフルの近傍に位置するような、パソコン用のスピーカーシステムに使用してもよい。低音域成分が不足しやすいパソコン用スピーカーを補うことができるだけでなく、前面バフルに近いところに位置するパソコン使用者の両耳に逆相の音波が到来するので、パソコン使用者は広がり感のある音場感が得られる。
【発明の効果】
【００２６】
小型又は薄型のスピーカーシステムで、特に、低音再生能力に優れ、ゲーム機、パチンコ、スロットマシン等の遊戯機に取り付けるのに適するスピーカーシステムを実現でき、そして、このスピーカーシステムを備える遊戯機を提供することができる。前面バフルに近いところに位置する遊戯者の両耳には逆相の音波が到来し、遊戯者は広がり感のある音場感が得られる。
【発明を実施するための最良の形態】
【００２７】
本発明のスピーカーシステムは、低音再生能力に優れ、ゲーム機、パチンコ、スロットマシン等の遊戯機に取り付けるのに適するスピーカーシステムを提供するという目的を、キャビネットが、スピーカーの振動板の前面側へ放射される音波を直接自由空間へ放射する場合に比べて高い空気の圧縮および膨張を生じさせて、自由空間へと導出する前面音導部と、スピーカーの振動板の背面側へ放射される音波を位相反転させて自由空間へと導出する背面音導部と、を有し、前面音導部は、スピーカーの振動板を支持するフレーム周縁部に対応して規定された音源空間と、振動板の前面側から放射される音波を自由空間に導出する音道と、を有し、背面音導部は、キャビネットを形成する筐体により規定される背面側キャビティと、背面側キャビティに連通して振動板の背面側から放射される音波を自由空間に導出するダクトと、を有するようにすることにより、実現した。
【００２８】
以下、本発明の好ましい実施形態によるスピーカーシステムおよびこれを備える遊戯機について説明するが、本発明はこれらの実施形態には限定されない。
【実施例１】
【００２９】
図１は、本発明の好ましい実施形態によるスピーカーシステム１を説明する図である。図１（ａ）は、スピーカーシステム１の正面斜視図であり、図１（ｂ）は、スピーカーシステム１の側面断面図である。本実施例のスピーカーシステム１は、口径８ｃｍの円形スピーカー２をキャビネット３の内部に備える小型の低音再生用のウーファーシステムである。なお、後述するように、スピーカーシステム１の一部の構造や、内部構造等は、省略している。
【００３０】
円形スピーカー２は、口径８ｃｍのコーン型の振動板２ａと、ボイスコイル２ｂと、外磁型磁気回路２ｃと、を備え、振動板２ａの外径周囲をエッジを介して支持するフレーム２ｄの外径寸法は、約７８ｍｍである。円形スピーカー２は、キャビネット３の水平方向に略平面状の内部バッフル３ａに、そのフレーム２ｄを固定して取り付けられており、ボイスコイル２ｂに音声信号電流が供給されると、ボイスコイル２ｂが外磁型磁気回路２ｃの磁気空隙内で振動し、その結果、ボイスコイル２ｂに接合する振動板２ａは、垂直方向の上下に振動する。振動板２ａは、その前後の空気にそれぞれ圧力の疎密を生じ、それぞれ音波を放射する。したがって、振動板２ａの前面側と背面側とへ放射されるそれぞれの音波は、位相が反転した逆位相の関係になっている。なお、円形スピーカー２の振動板２ａの前面側とは、振動板２ａの表面が露出する図１における垂直方向の下向側をいい、振動板２ａの背面側とは、図１における垂直方向の上向側のボイスコイルならびに磁気回路が配置される側をいう。
【００３１】
スピーカーシステム１のキャビネット３は、ＡＢＳ樹脂で形成された略直方体の外観形状を備え、キャビネット３の外形寸法は、幅約１１０ｍｍ、高さ約９０ｍｍ、奥行き約１５０ｍｍで、キャビネット３の全内容積は、約１．３リットルである。また、スピーカーシステム１のキャビネット３は、その前面バフル３ｂに放射孔４およびダクト孔５を備え、円形スピーカー２の振動板２ａの前面側に形成される前面音導部６と、円形スピーカー２の振動板２ａの背面側へ放射される音波を位相反転させて自由空間へと導出する背面音導部７と、を有する。
【００３２】
キャビネット３の前面音導部６は、円形スピーカー２の振動板２ａを支持するフレーム周縁部２ｄに対応して規定された音源空間６ａと、振動板２ａの前面側から放射される音波を自由空間に導出する音道６ｂと、を有する。前面音導部６の音源空間６ａおよび音道６ｂは、円形スピーカー２の振動板２ａに近接して対向する底面バフル３ｃを兼用する壁体と、内部バフル３ａと、前面バフル３ｂと、側面バフル３ｄ、３ｅと、ならびに、背面バフル３ｆと、により囲まれた空間に形成される。本実施例の場合には、前面音導部６の内容積は、約０．１リットルである。
【００３３】
図２は、本発明の好ましい実施形態によるスピーカーシステム１の前面音導部６を説明する図である。音道６ｂは、図２（ａ）の断面図に示すように、少なくとも一部が圧力吸収特性を有する材料から構成されている中間部材９により規定され、その幅が、音源空間６ａと音道６ｂとの接続部から出口にかけて変化する部分では単調に減少するように形成されている。もしくは、音道６ｂは、図２（ｂ）の断面図に示すように、その中間部の幅が音源空間６ａと音道６ｂとの接続部の幅および音道６ｂの出口部の幅よりも狭く、かつ、その音波導出方向の軸に対して非対称であるような平面形状を有していてもよい。前面音導部６は、円形スピーカー２の振動板２ａの前面側へ放射される音波を直接自由空間へ放射する場合に比べて高い空気の圧縮および膨張を生じさせて、放射孔４から自由空間へと導出する。
【００３４】
一方、キャビネット３の背面音導部７は、天面バフル３ｇと、内部バフル３ａと、前面バフル３ｂと、側面バフル３ｄ、３ｅと、ならびに、背面バフル３ｆと、により囲まれた空間として規定される背面側キャビティ７ａと、背面側キャビティ７ａに連通して振動板２ａの背面側から放射される音波を自由空間に導出するダクト８と、を有する。ダクト８は、円筒状の管を切断して形成されており、ダクト孔５は、ダクト８の前面バフル３ｂ側の開口端である。円形スピーカー２と背面音導部７とは、背面側キャビティ７ａの音響容量ｃと、ダクト８の音響質量ｍからなる音響共振系をさらに形成し、位相反転型（バスレフ型）キャビネットとして作用する。本実施例の場合には、背面音導部７の内容積は、約１．２リットルである。なお、ダクト８は、角状の断面を有していてもよく、また、Ｌ字状に折り曲げた構造になっていてもよい。
【００３５】
図３Ａ〜３Ｃは、本実施例のスピーカーシステム１の１Ｗ電力入力時の音圧周波数特性と、電気インピーダンス特性とを表すグラフである。図３Ａの音圧周波数特性は、前面バフル近傍で測定した近傍音圧特性であり、横軸が周波数で、縦軸が音圧レベルで、細い実線が前面音導部６から放射される音波であり、太い実線が背面音導部７から放射される音波である。また、図３Ｂの音圧周波数特性は、これらの合成による軸上１ｍ音圧周波数特性である。また、図３Ｃは、電気インピーダンス特性であり、横軸が周波数で、縦軸が電気インピーダンス値である。
【００３６】
なお、図３Ｂのグラフには、後述する比較例のスピーカーシステム１１の軸上１ｍ音圧周波数特性が、細線で記載されている。
【００３７】
また、図４は、前面音導部６から放射される音波と、背面音導部７から放射される音波との位相差特性を表すグラフであり、横軸が周波数で、縦軸が位相差の角度である。位相差が約０度であれば同相の関係であり、位相差が約１８０度（もしくは、−１８０度）であれば逆相の関係であり。約９０度の位相差であれば無相関である。
【００３８】
図３Ａ〜３Ｃのグラフ、および、図４の位相差特性を表すグラフからわかるように、円形スピーカー２と背面音導部７とが形成する音響共振系の高次の共振周波数ｆ２（約１０５Ｈｚ）付近とそれ以上の周波数（ｆ２〜約２５０Ｈｚ）では、ダクト孔５から放射される音波は、振動板２ａの背面側から放射される音波が位相反転して、振動板２ａの前面側（前面音導部６の放射孔４）から放射される音波と同位相になる。その一方で、音響共振系の低次の共振周波数ｆ１（約５５Ｈｚ）付近とそれ以下では、前面音導部６の放射孔４から放射される音波とダクト孔５から放射される音波とは、逆相もしくは無相関の関係になるが、ダクト孔５から放射される音波は、高い音圧レベルとなる。したがって、合成音波の周波数特性は、本実施例の低域限界周波数である約１００Ｈｚ付近（その前後１オクターブの約５０Ｈｚ〜２００Ｈｚ）で高い音圧レベル（代表的には、１００Ｈｚにおいて、約７９ｄＢ／Ｗ／ｍ。）を示している。
【００３９】
図５は、比較例のスピーカーシステム１１を説明する図である。図５（ａ）は、スピーカーシステム１１の正面斜視図であり、図５（ｂ）は、その側面断面図である。スピーカーシステム１１は、従来の特許文献２に記載のスピーカーシステムと同様の構成であって、実施例１のスピーカーシステム１の背面音導部７を密閉型キャビネット１７に変更した比較例であり、ダクト８およびダクト孔５を備えない点を除いて、ほぼ実施例１と共通するものである。したがって、スピーカーシステム１１では、前面音導部１６の放射孔１４のみから音波が放射される。
【００４０】
また、図３Ｂの音圧周波数特性を表すグラフには、比較例のスピーカーシステム１１の１Ｗ電力入力時の軸上１ｍ音圧周波数特性を細線で記載している。これらのグラフからわかるように、比較例のスピーカーシステム１１は、前面音導部１６を備えるので、この前面音導部１６により、円形スピーカー２を同一形状の密閉箱に取り付けて直接自由空間へ放射する場合に比べて高い空気の圧縮および膨張を生じさせ、スピーカーから放射される音波を自由空間へと導出し、円形スピーカー２の低音再生限界を規定する最低共振周波数ｆ０を、実質的に低く（約１３４Ｈｚ→約１０７Ｈｚ）している。ただし、前面音導部１６の放射孔１４のみから音波が放射されるので、低域限界周波数付近で音圧レベルが低くなってしまう（代表的には、１００Ｈｚにおいて、約７５ｄＢ／Ｗ／ｍ。）。
【００４１】
このように、本発明のスピーカーシステム１の前面音導部６は、比較例１のスピーカーシステム１１ならびに上記特許文献２のスピーカーシステムが有する音導部と同様に、低音再生限界を規定する最低共振周波数ｆ０を低くするように作用する。さらに、本発明のスピーカーシステム１は、前面音導部６に加えて背面音導部７を備えることで、前面音導部６の放射孔４から放射される音波とダクト孔５から放射される音波が同位相になる低域限界周波数付近では、高い合成音圧レベルが確保され、十分な低音を再生することができる。
【００４２】
なお、スピーカーシステム１の前面音導部６および背面音導部７の構成は、上記実施例に限定されるものではない。キャビネット３が小さいものに限られる場合には、フレーム２ｄの周縁部の直径が前面バフルの全高よりも大きい円形スピーカー２を、その振動板２ａが垂直方向に振動するようにキャビネット３に取り付けるようにして、キャビネット３の全高を低く抑えてもよい。キャビネット３が大きくてキャビネット３の全高が十分に高い場合には、内面バフル３ａは、垂直な平面として設けてもよく、その場合には、円形スピーカー２は、振動板２ａが、水平方向へ振動可能に取り付けてもよい。
【実施例２】
【００４３】
図６は、本発明の他の実施例２のスピーカーシステム３１を取り付けた機器の実施例として、遊戯機のパチンコ機４０を説明する図である。図６（ａ）は、パチンコ機４０の正面図であり、図６（ｂ）は、パチンコ機４０の上面断面図（Ａ−Ａ’断面図）であり、パチンコ機４０の正面に正対する遊戯者１００をともに記載している。なお、後述するものを除いて、説明に不用なパチンコ機４０の一部の構造や、内部構造等は、省略している。また、図７は、本実施例のスピーカーシステム３１を説明する図であり、図７（ａ）は、スピーカーシステム３１の斜視図であり、図７（ｂ）は、スピーカーシステム３１の上面断面図（Ａ−Ａ’断面図）であり、図７（ｃ）は、スピーカーシステム３１の側面断面図（Ｂ−Ｂ’断面図）である。
【００４４】
パチンコ機４０は、（図示しない）遊戯の制御回路や電源回路等が取り付けられる筐体４１と、筐体４１の前面側に設けられて、閉じられたときに遊戯者が正対する扉体４２と、を有している。扉体４２を開放すると、筐体４１のメンテナンスや、内部の部品組立が行える。扉体４２には、遊戯窓４３の奥側に設けられる遊戯領域と、上球皿４４と、打球ハンドル４５と、排出されるパチンコ球を受ける下球皿４６と、が取り付けられている。
【００４５】
パチンコ機４０では、遊戯時には、遊戯者が打球ハンドル４５を操作すると、上球皿４４から供給されるパチンコ球が遊戯領域に打ち出される。パチンコ球が遊戯領域に設けられた（図示しない）入賞孔に入ると、制御回路が設定する遊戯の条件に従って、パチンコ球が下球皿４６から排出される。遊戯の制御は、ＣＰＵ、メモリ等を含む（図示しない）制御回路が行う。遊戯窓４３は、（図示しない）液晶表示装置等により構成される図柄表示部を供えていてもよい。
【００４６】
パチンコ機４０の扉体４２には、さらに報知音等を再生する左スピーカー４７と、右スピーカー４８と、本実施例のスピーカーシステム３１が取り付けられている。制御回路から出力される音声信号は、（図示しない）増幅回路で増幅されて、左スピーカー４７と、右スピーカー４８と、スピーカーシステム３１にそれぞれ供給される。左スピーカー４７および右スピーカー４８は、口径８ｃｍの小型のフルレンジスピーカーであり、遊戯者の前方左右にそれぞれ配置され、本実施例では遊戯窓４３の上部に設けられている。パチンコ機４０の制御回路は、遊戯に対応するステレオ音声信号を発生し、増幅回路で増幅して左スピーカー４７および右スピーカー４８に供給する。
【００４７】
また、スピーカーシステム３１は、従来のパチンコ機では幕板が取り付けられる打球ハンドル４５および下球皿４６の下側に取り付けられている。また、制御回路は、スピーカーシステム３１には、ＬＰＦ（低域通過フィルタ）を通過させて約２００Ｈｚ以下に帯域制限したモノラル信号を増幅回路で増幅して供給する。スピーカーシステム３１は、全帯域（フルレンジ）を再生するものの不足しがちな左スピーカー４７および右スピーカー４８の低音域を補うサブウーファーとして機能する。なお、スピーカーシステム３１が備えるスピーカーが、一つのコイルボビンに２つのボイスコイルが巻回されているダブルボイスコイルを備える場合には、モノラル信号でなくステレオ信号を入力してもよい。
【００４８】
スピーカーシステム３１は、前述の口径８ｃｍの円形スピーカー２をキャビネット３３の内部に備えるパチンコ機用の低音再生用のウーファーシステムである。ＡＢＳ樹脂で形成されたキャビネット３３は、扉体４２の下部側の幕板を取り付ける部分に取り付け可能なように、横長の略直方体のキャビネット部分と、円形スピーカー２を収容する略立方体形状のキャビネット部分とが組み合わさったような外観形状を備える。スピーカーシステム３１を扉体４２に取り付ける際に、一部が後方に突出する略立方体形状のキャビネット部分が筐体４１を構成する底板に干渉しないように、キャビネット部分の底面３３ｚは、横長の略直方体のキャビネット部分を構成する前面バフル３３ｂの底辺よりも高い位置に設定される。前面バフル３３ｂは、横長（幅５１７ｍｍ、高さ６８ｍｍ）の略矩形形状であり、前面バフル３３ｂの全高は、口径８ｃｍの円形スピーカー２のフレーム周縁部の外径寸法よりも低く、放射孔３４およびダクト孔３５が形成されている。前面バフル３３ｂは、さらに、パチンコ機４０の扉体４２に取り付けるネジ４９を貫通させる取付ネジ孔３９をその四隅に備える。
【００４９】
図６および図７に示すように、スピーカーシステム３１の内部構造は、実施例１のスピーカーシステム１と基本的に同様である。つまり、スピーカーシステム３１では、円形スピーカー２の振動板２ａが垂直方向に振動するようにキャビネット３３の内部バフル３３ａに取り付けられており、また、キャビネット３３は、円形スピーカー２の振動板２ａの前面側に形成される前面音導部３６と、円形スピーカー２の振動板２ａの背面側へ放射される音波を位相反転させて自由空間へと導出する背面音導部３７と、を有する。
【００５０】
前面音導部３６は、円形スピーカー２の振動板２ａを支持するフレーム周縁部２ｄに対応して規定された音源空間３６ａと、振動板２ａの前面側から放射される音波を自由空間に導出する音道３６ｂと、を有する。本実施例では、音道３６ｂの放射孔３４は、幅８０ｍｍ、縦９ｍｍの略矩形である。また、背面音導部３７は、キャビネット部分により囲まれた空間として規定される背面側キャビティ３７ａと、背面側キャビティ３７ａに連通して振動板２ａの背面側から放射される音波を自由空間に導出するダクト３８と、を有する。ダクト３８は、L字状の管として形成されており、ダクト孔３５は、ダクト３８の前面バフル３３ｂ側の開口端であり、本実施例ではその断面が円形である。
【００５１】
キャビネット３３の全内容積は、約１．３リットルでキャビネット３の場合とほぼ等しく、前面音導部３６および背面音導部３７の内容積もそれぞれほぼ等しい。したがって、スピーカーシステム３１は、図３および図４のグラフに示す実施例１のスピーカーシステム１と同様の音圧周波数特性、電気インピーダンス特性、および、位相差特性を有するので、共通するところの説明は、以下では省略する。
【００５２】
スピーカーシステム３１では、キャビネット３３の前面バフル３３ｂに形成されている放射孔３４ならびにダクト孔３５が、前面バフル３３ｂの仮想の中央垂線Ｙ０に対してそれぞれ左右に振り分けて配置されている。前面バフル３３ｂを左右に略二等分する中央垂線Ｙ０は、パチンコ機４０の扉体４２にスピーカーシステム３１を取り付ける場合にはパチンコ機４０の中央垂線にほぼ等しくなり、図７（ｂ）に示すように、これは正対する遊戯者にとっても左右方向の中心を表す仮想の線である。本実施例のスピーカーシステム３１では、例えば、放射孔３４は前面バフル３３ｂの中央垂線Ｙ０よりも左側に配置され、一方、ダクト孔３５は前面バフル３３ｂの中央垂線Ｙ０よりも右側に配置されている。放射孔３４ならびにダクト孔３５は、約４５ｃｍ離間しているので、その結果、略矩形形状の前面バフル３３ｂの左右端の近くに配置されている。また、遊戯者の左右の両耳の間隔（約１０〜１５ｃｍ程度）よりも広く配置されている。
【００５３】
前述の通り、スピーカーシステム３１では、前面音導部３６の放射孔３４から放射される音波と、背面音導部３７のダクト孔３５から放射される音波と、が同相になる低域限界周波数ｆ２（約１０５Ｈｚ）付近では、前面バフル３３ｂに正対する遊戯者１００には、高い合成音圧レベルが提供される。取付可能なキャビネットの全高が低く制限される扉体４２の下部側に取り付ける場合であっても、スピーカーシステム３１は、低音域再生に優れる口径の大きなスピーカーを用いることができ、さらに、限られたキャビネット容積のなかでも、音圧周波数特性上の低域限界周波数が拡大し、高い合成音圧レベルが確保することができる。特に、パチンコ機等の遊戯機における音声再生において、低音の量感を得やすい周波数帯域約５０Ｈｚ〜２００Ｈｚのレベルを高めることができるので、スピーカーシステム３１を備えたパチンコ機４０は、十分な低音を再生することができる。
【００５４】
その一方で、前述の通り、スピーカーシステム３１では、音響共振系の低次の共振周波数ｆ１（約５５Ｈｚ）付近とそれ以下では、前面音導部３６の放射孔３４から放射される音波と、背面音導部３７のダクト孔３５から放射される音波とは、逆相もしくは無相関の関係になり、遊戯者１００の位置では、合成音圧レベルは低下する。ただし、キャビネット３３の前面バフル３３ｂに形成されている放射孔３４ならびにダクト孔３５が、前面バフル３３ｂの中央垂線Ｙ０に対してそれぞれ左右に振り分けて配置されているので、前面バフルに近いところに位置する遊戯者１００の両耳（左耳１０１、右耳１０２）には、それぞれ放射孔３４ならびにダクト孔３５から放射される音響共振系の低次の共振周波数ｆ１以下の逆相もしくは無相関の音波が到来する。その結果、遊戯者１００の両耳（左耳１０１、右耳１０２）には、位相の相関の低い音波が到来するので、遊戯者１００は広がり感のある音場感を得ることができる。遊戯者１００の両耳（左耳１０１、右耳１０２）に到来するこの再生帯域の逆相もしくは無相関の音波は、もともとの再生レベルが低く、逆相の場合は合成されてレベルが低くなるので、両耳に高い音圧レベルの逆相の音波が到来することを原因とする不快感を与えるほどではない。
【００５５】
なお、本実施例のパチンコ機４０では、扉体４２の下部側に取り付けるスピーカーシステム３１が、前面バフル３３ｂを前面側に露出するキャビネット３３を備え、その前面バフル３３ｂに形成されている放射孔３４ならびにダクト孔３５が、前面バフル３３ｂの中央垂線Ｙ０に対してそれぞれ左右に振り分けて約４５ｃｍ程度離間するように配置されている。放射孔３４とダクト孔３５の離間距離は、遊戯者１００が扉体４２に近接するパチンコ機のような遊戯機では、遊戯者が正対する中央位置を挟んで、遊戯者１００の左右の両耳の間隔（約１０〜１５ｃｍ程度）よりも広く配置されていればよい。遊戯者１００の両耳（左耳１０１、右耳１０２）には、位相の相関の低い音波が到来するので、遊戯者１００は広がり感のある音場感を得ることができる。
【００５６】
なお、キャビネット３３は、その前面バフル３３ｂの四隅に、パチンコ機４０の扉体４２に取り付けるネジ４９を貫通させる取付ネジ孔３９を備えているが、前面バフル３３ｂの放射孔３４ならびにダクト孔３５がパチンコ機４０の前面側に露出すればよいのであって、スピーカーシステム３１をパチンコ機４０の扉体４２に取り付ける形態に合わせて、取付ネジ孔３９の配置を変更してもよい。
【００５７】
このように、本実施例のパチンコ機４０は、低音再生能力に優れ、迫力感のある再生音を遊戯者に提供することができる。また、ダクト孔３５は、遊戯者１００が手で操作する打球ハンドル４５の下部近傍に形成されるので、遊戯者１００にとってダクト孔３５から導出される空気を手に感じ取りやすく、パチンコ機４０の遊戯の制御で意図した演出効果を、確実に遊戯者１００へ伝達できる。
【００５８】
なお、左スピーカー４７と、右スピーカー４８と、スピーカーシステム３１の放射孔３４およびダクト孔３５には、それぞれ振動板に異物が衝突したり、また、パチンコ球等を誤って挿入されたりしないように、通気性を有する保護ネットやグリルを設けておくのが好ましい。
【００５９】
また、上記実施例で説明する円形スピーカー２は、外磁型磁気回路の動電型スピーカーであるが、円形スピーカー２の構成は本実施例に限られない。円形スピーカー２の磁気回路は、コーン型振動板２ａの背面側に突出しないように小さければ内磁型磁気回路でもよく、また、その外形寸法を小さくしやすい反発磁石を備えた反発型磁気回路であってもよい。
【産業上の利用可能性】
【００６０】
本発明のスピーカーシステムは、ゲーム機、パチンコ機、スロットマシン等の遊戯機に内蔵するスピーカーとしてのみならず、音声を再生するスピーカーを内蔵するキャビネットを有するディスプレイ等の映像・音響機器にも適用が可能である。聴取者がその前面バフルの近傍に位置するような、パソコン用のスピーカーシステムに使用してもよい。また、本発明のスピーカーシステムは、全高が低く、小型・薄型のキャビネットで低音再生するサブウーファーが実現できるので、設置空間が限定される車両用のスピーカーに特に適する。
【図面の簡単な説明】
【００６１】
【図１】本発明の好ましい実施形態によるスピーカーシステム１を説明する図である。（実施例１）
【図２】本発明の好ましい実施形態によるスピーカーシステム１の前面音導部６を説明する図である。（実施例１）
【図３Ａ】本発明の好ましい実施形態によるスピーカーシステム１の音圧周波数特性（近傍音圧特性）を表すグラフである。（実施例１）
【図３Ｂ】本発明の好ましい実施形態によるスピーカーシステム１と比較例のスピーカーシステム１１の音圧周波数特性（軸上１ｍ音圧周波数特性）を表すグラフである。（実施例１）
【図３Ｃ】本発明の好ましい実施形態によるスピーカーシステム１の電気インピーダンス特性を表すグラフである。（実施例１）
【図４】本発明の好ましい実施形態によるスピーカーシステム１の前面音導部６から放射される音波と、背面音導部７から放射される音波との位相差特性を表すグラフである。（実施例１）
【図５】比較例のスピーカーシステム１１を説明する図である。（比較例１）
【図６】本発明の他の好ましい実施例２のスピーカーシステム３１を取り付けた遊戯機のパチンコ機４０を説明する図である。（実施例２）
【図７】本発明の他の好ましい実施例２のスピーカーシステム３１を説明する図である。（実施例２）
【符号の説明】
【００６２】
１、１１、３１  スピーカーシステム
２              円形スピーカー
３、１３、３３  キャビネット
４、１４、３４  放射孔
５、３５        ダクト孔
６、３６        前面音導部
１６            音導部
７、３７        背面音導部
８、３８        ダクト
９              中間部材
３９            取付ネジ孔
４０            パチンコ機
４１            筐体
４２            扉体
４３            遊戯窓
４４            上球皿
４５            打球ハンドル
４６            下球皿
４７            左スピーカー
４８            右スピーカー
４９            ネジ
１００          遊戯者
【図１】
2008178050.tif 000003
【図２】
2008178050.tif 000004
【図３Ａ】
2008178050.tif 000005
【図３Ｂ】
2008178050.tif 000006
【図３Ｃ】
2008178050.tif 000007
【図４】
2008178050.tif 000008
【図５】
2008178050.tif 000009
【図６】
2008178050.tif 000010
【図７】
2008178050.tif 000011